(57)【要約】【課題】前面パネルの４コーナー及びその４コーナー以外に設けられたパネルピンによって支持されたマスクフレームを有するカラー受像管装置において、当該マスクフレームの支持を安定させることにより色ずれの生じないカラー受像管装置を提供することを目的とする。【解決手段】マスクフレーム７の対向する長辺フレーム７ａのＹ軸上に設けられたスプリング８Ｎ、８Ｓの孔１０Ｎ、１０Ｓと、これに対応するパネルピン５Ｎ、５Ｓとが、孔径方向において間隙１１を有するように設けられている。【選択図】  図３
2004288590.tif 000002
【特許請求の範囲】
【請求項１】
前面パネル及びファンネルからなる外囲器と、前記前面パネルに植設されたパネルピンと、前記前面パネルの内面に形成された蛍光体スクリーンと、前記蛍光体スクリーンに対向して配置されたシャドウマスクと、前記シャドウマスクを保持する略矩形枠のフレームと、前記フレームの４箇所のコーナー部及び前記フレームのコーナー部以外の箇所に設けられたスプリングとを有し、前記スプリングに設けられた孔に前記パネルピンを係止することにより前記フレームが前面パネルに保持されているカラー受像管装置であって、
前記コーナー部以外の箇所に設けられた前記スプリングの前記孔と、これに対応する前記パネルピンとが、係止された状態で前記孔の孔径方向において間隙を有するように設けられていることを特徴とするカラー受像管装置。
【請求項２】
前記フレームは、対向する一対の長辺フレームと対向する一対の短辺フレームとからなり、
前記コーナー部以外の箇所に設けられたスプリングが、前記フレームの前記対向する一対の長辺フレームのそれぞれに設けられたものであることを特徴とする請求項１記載のカラー受像管装置。
【請求項３】
前記長辺フレームに設けられたスプリングが、Ｙ軸近傍に設けられていることを特徴とする請求項２記載のカラー受像管装置。
【請求項４】
前記シャドウマスクに引張力が印加され、前記シャドウマスクが架張されて前記フレームに保持されていることを特徴とする請求項３記載のカラー受像管装置。
【請求項５】
前記シャドウマスクは前記垂直方向にのみ引張力が印加されていることを特徴とする請求項４記載のカラー受像管装置。
【請求項６】
前記コーナー部以外の箇所に設けられたスプリングに対応する前記パネルピンが、これに対応するスプリングあるいはこのスプリングに設けられたセンタープレートと面接触するように係止されていることを特徴とする請求項１ないし請求項５のいずれかに記載のカラー受像管装置。
【発明の詳細な説明】
【０００１】
【発明の属する技術分野】
本発明は、画面全域で色ずれを抑制し色純度を改善するカラー受像管装置に関するものである。
【０００２】
【従来の技術】
従来、コーナーサスペンション方式のカラー受像管装置の一例として、略矩形枠のマスクフレームの４箇所のコーナー部に板バネ状のスプリングが取り付けられたものが提案されている（例えば、特許文献１参照）。
【０００３】
このカラー受像管装置について図５を用いて説明する。
【０００４】
コーナーサスペンション方式のカラー受像管装置は、図５（ａ）に示すように、前面パネル１０１の４箇所のコーナー部の内壁に植設されたパネルピン１０５と、図５（ｂ）に示すように、架張されたシャドウマスク１０６を支持するマスクフレーム１０７と、このマスクフレーム１０７の４箇所のコーナー部に設けられたスプリング１０８とを有し、このスプリング１０８に設けられた孔１１０にパネルピン１０５を係止することによりマスクフレーム１０７を前面パネル１０１に保持するというものである。
【０００５】
近年、カラー受像管装置の大型化及びワイド化に伴うマスクフレームの重量の増加により、マスクフレームを保持するための強固なパネルピンの支持構造が必要になってきた。
【０００６】
このため、上記マスクフレームの４箇所のコーナー部以外にも、例えば、マスクフレームの対向する長辺フレームのＹ軸（管軸に垂直な垂直方向軸）近傍にもスプリングを設けるとともに、このスプリングに対応するパネルピンを前面パネル内壁に植設し、合計で６つのパネルピンによりマスクフレームを支持する方式が採用されている。
【０００７】
【特許文献１】
特開２０００−０９０８４５号公報
【０００８】
【発明が解決しようとする課題】
しかしながら、シャドウマスクの架張状態のバラツキやマスクフレームの組立のばらつき等により、４箇所のコーナー部のパネルピンで規制したマスクフレームのＹ軸と前面パネルのＹ軸との間にずれが生じ、Ｙ軸上のパネルピンとそれに対応するスプリングの孔とにおいてＹ軸が一致せず、パネルピンがスプリングの孔に嵌らないという問題があった。また、嵌ったとしてもお互いのＹ軸がずれていることから、スプリング孔の孔径方向のアンバランスな力がパネルピンからスプリングに加わり、マスクフレームの支持が安定せず、外部からのわずかな衝撃によりパネルピンとスプリングとの相対位置関係がくずれ、シャドウマスクの位置が変化して色ずれが生ずるという問題があった。
【０００９】
この問題を解決するために、図６に示すように、スプリング１０８に径小の孔１１２が設けられたセンタープレート１１３をＹ軸上のスプリング１０８の孔１１０に対応させて設け、センタープレート１１３の孔１１２とパネルピン１０５の傾斜部１０５ａとを接触させてパネルピン１０５を係止させることにより、上記アンバランスな力（図中矢印で示す）が生じた場合であっても、パネルピン１０５からの力をセンタープレート１１３で吸収しスプリング１０８に直接伝達しないようにしていた。
【００１０】
しかしながら、この解決策でも、センタープレート１１３の孔１１２のＹ軸とスプリング１０８の孔１１０のＹ軸とが大きくズレた状態でセンタープレート１１３がスプリング１０８に取り付けられた場合には、センタープレート１１３でパネルピン１０５からの力を吸収しきれず、結局マスクフレームの支持が安定しないという問題があった。また、この解決策においても、センタープレート１１３にはパネルピン１０８からの孔径方向のアンバランスな力を受けているため、外部からのわずかな衝撃やセンタープレートの経時変化等によってパネルピン１０５とスプリング１０８との相対的な位置関係がくずれ、シャドウマスクの位置が変化して色ずれが生ずるという問題があった。
【００１１】
本発明は、上記課題を解決するためになされたものであり、前面パネルの４コーナー及びその４コーナー以外に設けられたパネルピンによって支持されたマスクフレームを有するカラー受像管装置において、当該マスクフレームの支持を安定させることにより色ずれの生じないカラー受像管装置を提供することを目的とする。
【００１２】
【課題を解決するための手段】
本発明に係るカラー受像管装置は、前面パネル及びファンネルからなる外囲器と、前記前面パネルに植設されたパネルピンと、前記前面パネルの内面に形成された蛍光体スクリーンと、前記蛍光体スクリーンに対向して配置されたシャドウマスクと、前記シャドウマスクを保持する略矩形枠のフレームと、前記フレームの４箇所のコーナー部及び前記フレームのコーナー部以外の箇所に設けられたスプリングとを有し、前記スプリングに設けられた孔に前記パネルピンを係止することにより前記フレームが前面パネルに保持されているカラー受像管装置であって、前記コーナー部以外の箇所に設けられた前記スプリングの前記孔と、これに対応する前記パネルピンとが、係合された状態で前記孔の孔径方向において間隙を有するように設けられていることを特徴とするものである。
【００１３】
これにより、４箇所のコーナーのパネルピンとこれに対応するスプリングによってマスクフレームを前面パネルに規制して保持し、さらに、フレームのコーナー部以外の箇所に設けられたスプリングとこれに対応するパネルピンとの間に間隙を設け、このスプリングとパネルピンとを接触しないように構成しているので、マスクフレームの重量増大によるマスクフレームの落下等の問題を解消しつつ、マスクフレームの支持を安定させ、色ずれのないカラー受像管装置を提供することができる。
【００１４】
また、上記カラー受像管装置は、前記フレームは、対向する一対の長辺フレームと対向する一対の短辺フレームとからなり、前記コーナー部以外の箇所に設けられたスプリングが、前記フレームの前記対向する一対の長辺フレームのそれぞれに設けられたものであることが好ましい。
【００１５】
また、上記カラー受像管装置は、前記長辺フレームに設けられたスプリングが、Ｙ軸近傍に設けられていることが好ましい。
【００１６】
また、上記カラー受像管装置は、前記シャドウマスクに引張力が印加され、前記シャドウマスクが架張されて前記フレームに保持されていることが好ましい。
【００１７】
また、上記カラー受像管装置は、前記シャドウマスクは前記垂直方向にのみ引張力が印加されていることが好ましい。
【００１８】
また、上記カラー受像管装置は、前記コーナー部以外の箇所に設けられたスプリングに対応する前記パネルピンが、これに対応するスプリングあるいはこのスプリングに設けられたセンタープレートと面接触するように係止されていることが好ましい。
【００１９】
【発明の実施の形態】
以下、本発明の実施形態に係るカラー受像管装置について、図面を用いて説明する。
【００２０】
以下の説明の便宜のために、図示したように、管軸を通り、かつ管軸に垂直な水平方向（長辺方向）軸をＸ軸、管軸を通り、かつ管軸に垂直な垂直方向（短辺方向）軸をＹ軸、管軸をＺ軸とするＸＹＺ−３次元直交座標系を設定する。
【００２１】
図１に示すように、本発明の実施形態に係るカラー受像管装置は、ガラス製の前面パネル１とファンネル２とが一体化されて外囲器を有する。前面パネル１の内面にはＲＧＢ三色の蛍光体が塗布された蛍光体スクリーン３が形成され、その上にアルミニウム薄膜層４が形成されている。前面パネル１の４箇所のコーナーの内壁にはパネルピン５が植設されている。
【００２２】
蛍光体スクリーン３から離間し、かつこれに対向して、シャドウマスク６がマスクフレーム７に架張されて設置されている。
【００２３】
ファンネル２のネック部２ａ内には電子銃１５が内蔵されている。また、ファンネル２の外周面上には偏向ヨーク１６が設けられている。電子銃から射出された三本の電子ビーム１７は偏向ヨーク１６によってＸ軸方向及びＹ軸方向に偏向されて、蛍光体スクリーン３上を走査する。
【００２４】
図２は、本実施形態に係るカラー受像管装置の色選別機構及び前面パネルを示したものである。尚、図２（ａ）は、その色選別機構の外観斜視図であり、図２（ｂ）は、その色選別機構のコーナー部の拡大斜視図であり、図２（ｃ）は、前面パネルの正面図である。
【００２５】
図２（ａ）に示すように、本実施形態に係るカラー受像管装置の色選別機構は、複数のスロット孔を有するシャドウマスク６と略矩形状のマスクフレーム７とスプリング８Ｃ、８Ｓとを備える。
【００２６】
マスクフレーム７は、所定距離だけ離間して平行に配置された一対の長辺フレーム７ａと、所定距離だけ離間して平行に配置された一対の短辺フレーム７ｂとからなる。長辺フレーム７ａは、金属板を断面が略三角形状になるように折り曲げて形成され、その自由端に、引張力（テンション）が印加されたシャドウマスク６が架張されている。短辺フレーム７ｂは、四角柱形状の金属柱を略コ字状になるように折り曲げて形成されている。一対の長辺フレーム７ａと一対の短辺フレーム７ｂとを略矩形枠状に組み合わせて、所定の接合部を溶接してマスクフレーム７が構成される。
【００２７】
図２（ｂ）に示すように、マスクフレーム７の４つのコーナー部には、板バネ状のスプリング８Ｃがスプリング取付け板９Ｃを介して取り付けられている。スプリング８Ｃにはそれぞれ孔１０Ｃが設けられている。
【００２８】
さらに、本実施形態に係るカラー受像管装置においては、マスクフレーム７のコーナー部以外にもスプリング８Ｎ、８Ｓが設けられている。図２（ａ）に示すように、対向する長辺フレーム７ａのそれぞれに、スプリング取付け板９Ｎ、９Ｓ（スプリング取付け板９Ｎは図示せず）を介して、板バネ状のスプリング８Ｎ、８Ｓ（スプリング８Ｎは図示せず）が設けられている。スプリング８Ｎ、８Ｓにはそれぞれ孔１０Ｎ、１０Ｓが設けられている。本実施形態においては、スプリング８Ｎ、８Ｓは、Ｙ軸上近傍に配置したがこの位置に限るものではない。但し、スプリング８Ｎ、８ＳをＹ軸上近傍に配置することにより、マスクフレーム７にかかる自重を均等に分散することができる。
【００２９】
また、図２（ｃ）に示すように、マスクフレーム７の４箇所のコーナーに設けたスプリング８Ｃとこれに対応する４つのパネルピン５Ｃが、前面パネル１のコーナー部の内壁に植設されている。また、コーナー部以外に設けたスプリング８Ｎ、８Ｓに対応するパネルピン５Ｎ、５Ｓが、前面パネル１の長辺スカート部の内壁に植設されている。前面パネル１に設けられるパネルピンは合計で６つである。
【００３０】
図２（ｃ）に示す前面パネルのコーナー部及びスカート部に植設されたパネルピン５Ｃ、５Ｎ、５Ｓが各スプリングの孔１０Ｃ、１０Ｎ、１０Ｓに嵌入し係止されることにより、マスクフレーム７は前面パネル１に支持される。
【００３１】
図３は、図２（ａ）に示す色選別機構が図２（ｃ）に示す前面パネル１に保持された場合のＹ軸近傍のパネルピン５近傍の要部拡大図である。尚、図３（ａ）は、Ｙ軸上のパネルピン近傍の要部拡大断面図であり、図３（ｂ）は、その平面図である。
【００３２】
図３（ａ）（ｂ）に示すように、本実施形態に係るカラー受像管装置におけるＹ軸上のパネルピン５Ｎは、Ｘ−Ｚ平面に対して平行な面を有する平行段部５ａを備える多段平行ピン構造となっており、スプリング８Ｎの孔１０Ｎ近傍の前面パネル側の面８ａに、パネルピン５Ｎの平行段部５ａが面接触により当接しスプリング８Ｎと係合するようにして、パネルピン５Ｎがスプリング８Ｎの孔１０Ｎに嵌入され係止されている。本実施形態に係るカラー受像管装置のパネルピン５は、スプリング８Ｎに面接触する平行段部５ａとＺ軸側端部が平行部である２段平行ピンとした。尚、パネルピン５Ｎとスプリング８Ｎとは面接触するように構成したがこれに限るものではなく、例えば、平行段部５ａに略半球状や三角錐状等の突起部を１つあるいは複数個設けたり、平行段部５ａにドーナツ状の突起部を設けたりすることにより、点接触等する構成としてもよい。
【００３３】
また、スプリング８Ｎの孔１０Ｎの孔径方向において孔１０Ｎとパネルピン５Ｎとの間に間隙１１を有し、パネルピン５Ｎがスプリング８Ｎの孔１０Ｎに嵌入し係止されるように、予め孔１０Ｎの孔径に所定の裕度を持たせておく。間隙１１は、図３（ｂ）に示すように、スプリング８Ｎの孔１０Ｎとパネルピン５Ｎとが接触しないように（非接触で）、パネルピン５Ｎの全周に設けられている。尚、間隙１１は数ｍｍ程度とすることが好ましい。以上、パネルピン５Ｎ及びスプリング８Ｎについて説明したが、パネルピン５Ｓ及びスプリング８Ｓについても同様である。
【００３４】
このように、本実施形態に係るカラー受像管装置においては、孔１０Ｎ、１０Ｓとパネルピン５Ｎ、５Ｓとの間に間隙１１が存在するので、孔１０Ｎ、１０Ｓの軸とパネルピン５Ｎ、５Ｓの軸が多少ずれても、スプリング８Ｎ、８Ｓにパネルピン５Ｎ、５Ｓからのアンバランスな力が加わらない。従って、安定したマスクフレーム７の支持を実現することが可能となり、画面色ずれを防止することができる。
【００３５】
また、本実施形態に係るカラー受像管装置においては、Ｙ軸上におけるパネルピン５Ｎ、５Ｓとスプリング８Ｎ、８Ｓは直接マスクフレーム７を保持しておらず、露光時や通常使用動作時のマスクフレーム７の保持は、コーナー部の４つのパネルピン５Ｃで行うようにした。仮に外部からマスクフレーム７に衝撃が加わっても、Ｘ軸及びＹ軸方向に対しては、多段平行ピンの側面と孔１０Ｎ、１０Ｓの内面部とが当接することによりマスクフレーム７の落下を防止することができる。一方、Ｚ軸方向に対しても、スプリング８Ｎ、８Ｓの前面パネル側の面８ａがパネルピン５Ｎ、５Ｓの平行段部５ａに面接触されているので、マスクフレーム７の落下を防止することができる。従って、実際の露光時や通常使用動作時においては、コーナー部の４つのパネルピン５Ｃだけでなく、Ｙ軸上のパネルピン５Ｎ、５Ｓによってもマスクフレーム７の保持をしていることもある。
【００３６】
次に、本実施形態に係るカラー受像管装置の変形例について図４を用いて説明する。尚、図４（ａ）は、この変形例に係る本実施形態のカラー受像管装置におけるＹ軸上のパネルピン近傍の要部拡大断面図であり、図４（ｂ）は、その平面図である。
【００３７】
この変形例に係るカラー受像管装置が上述したカラー受像管装置と異なる点は、変形例に係る本実施形態のカラー受像管装置のＹ軸上のスプリングにセンタープレートが設けられている点である。
【００３８】
図４（ａ）（ｂ）に示すように、変形例に係る本実施形態のカラー受像管装置においては、スプリング８ＮのＺ軸側の面（前面パネルのスカート部とは反対側の面）に、スプリング８Ｎの孔１０Ｎよりも径小の孔１２を有するセンタープレート１３を設けている。スプリング８Ｎの孔１０Ｎとセンタープレート１３の孔１２とは同軸上とすることが好ましい。尚、センタープレート１３の孔１２近傍の前面パネル側の面８ａに、パネルピン５Ｎの平行段部５ａが面接触により当接するようにして、パネルピン５Ｎがセンタープレート１３の孔１２に嵌入し係止されている。
【００３９】
尚、センタープレート１３の孔１２の孔径方向において、孔１２とパネルピン５との間に間隙１４を有してパネルピン５がセンタープレート１３の孔１２に嵌入し係止されるように、予め孔１２の孔径に所定の裕度を持たせておくことが好ましい。間隙１４は、図４（ｂ）に示すように、センタープレート１３の孔１２とパネルピン５Ｎとが接触しないように、パネルピン５Ｎの全周に設けられている。尚、間隙１４は数ｍｍ程度とすることが好ましい。また、パネルピン５Ｎとスプリング８Ｎの孔１０Ｎとの間にも間隙を有するように構成する。以上、パネルピン５Ｎ及びスプリング８Ｎについて説明したが、パネルピン５Ｓ及びスプリング８Ｓについても同様である。
【００４０】
このように、センタープレートを設けた変形例に係る本実施形態のカラー受像管装置においても、孔１２とパネルピン５との間に間隙１４が存在するので、孔１２の軸とパネルピン５Ｎ、５Ｓの軸が多少ずれても、センタープレート１３にパネルピン５Ｎ、５Ｓからのアンバランスな力が加わらない。従って、安定したマスクフレーム７の支持を実現することが可能となり、画面色ずれを防止することができる。しかも、変形例に係る本実施形態のカラー受像管装置においては、パネルピン５Ｎ、５Ｓからの力はセンタープレート１３を介してスプリング８Ｎ、８Ｓに伝わるため、一層安定したマスクフレーム７の支持が可能となる。尚、Ｘ、Ｙ、Ｚ軸方向の落下防止の効果については、センタープレートを設けない場合の図３に示す上述の本実施形態に係るカラー受像管装置と同様であるのでその説明は省略する。
【００４１】
以上、本実施形態に係るカラー受像管装置においては、垂直方向にシャドウマスクを架張する場合について説明したが、水平方向に架張する場合でもよく、水平垂直の２方向に架張する構造のシャドウマスクであっても構わない。また、架張するタイプのシャドウマスクではなく、プレス型のシャドウマスクであっても構わない。
【００４２】
また、コーナー部以外のパネルピン及びスプリングは、対向する長辺フレームのそれぞれに設けたがこれに限るものではなく、一方の長辺フレームに設けてもよく、また、対向する短辺フレームのそれぞれあるいはどちらか一方に設けてもよい。
【００４３】
【発明の効果】
本発明に係るカラー受像管装置は、フレームのコーナー部以外の箇所に設けられたスプリングの孔と、これに対応するパネルピンとが、孔径方向において間隙を有するように設けられているので、マスクフレームの重量増大によるマスクフレームの落下等の問題を解消しつつ、マスクフレームの支持を安定させ、色ずれのないカラー受像管装置を提供することができる。
【図面の簡単な説明】
【図１】本発明の実施形態に係るカラー受像管装置の断面図
【図２】（ａ）本発明の実施形態に係るカラー受像管装置の色選別機構の外観斜視図
（ｂ）上記色選別機構のコーナー部の拡大斜視図
（ｃ）本発明の実施形態に係るカラー受像管装置の前面パネルの正面図
【図３】（ａ）本発明の実施形態に係るカラー受像管装置のＹ軸上のパネルピン近傍の要部拡大断面図
（ｂ）本発明の実施形態に係るカラー受像管装置のＹ軸上のパネルピン近傍の平面図
【図４】（ａ）変形例に係る本実施形態のカラー受像管装置のＹ軸上のパネルピン近傍の要部拡大断面図
（ｂ）変形例に係る本実施形態のカラー受像管装置のＹ軸上のパネルピン近傍の平面図
【図５】（ａ）従来のカラー受像管装置の前面パネルの正面図
（ｂ）従来のカラー受像管装置の色選別機構の外観斜視図
【図６】従来のカラー受像管装置においてＹ軸上のスプリングにセンタープレートを設けた場合のＹ軸上パネルピン近傍の要部拡大図
【符号の説明】
１  前面パネル
２  ファンネル
３  蛍光体スクリーン
４  アルミニウム薄膜層
５  パネルピン
５ａ  平行段部
６  シャドウマスク
７  マスクフレーム
７ａ  長辺フレーム
７ｂ  短辺フレーム
８Ｃ、８Ｎ、８Ｓ  スプリング
９Ｃ、９Ｎ、９Ｓ  スプリング取付け板
１０Ｃ、１０Ｎ、１０Ｓ、１２  孔
１１、１４  間隙
１３  センタープレート
１５  電子銃
１６  偏向ヨーク
１７  電子ビーム
【図１】
2004288590.tif 000003
【図２】
2004288590.tif 000004
【図３】
2004288590.tif 000005
【図４】
2004288590.tif 000006
【図５】
2004288590.tif 000007
【図６】
2004288590.tif 000008